(57)【要約】【課題】変換アダプタの一部に、イヤフォンコードを巻きつけ一体収納をする。【解決手段】コードリール付き変換アダプタの構成を示すもので平型プラグ１は筐体２に組込まれ、該筐体２側面にはミニプラグ１６の挿入コンセント３を設け、前記側面の、左右外形部分の凸形状枠４、及びガイドピン５、並びに背面部分にＵ字形の溝６を形成する。又、コードリールは、ハブａ７及びハブｂ１３で形成、前記ハブａ７上面左右に複数のフック１２並びに筐体２を取付ける際のガイドリブ１１を設け、又前記ハブａ７並びにハブｂ１３は一定幅を移動できるように構成されている。【選択図】図６
2012028291.tif 000002
【特許請求の範囲】
【請求項１】
携帯電話で広く使用されている平型プラグから、標準のミニプラグのイヤフォンを使用できるようにする為の変換アダプタであって、該、変換アダプタの一部へ、イヤフォンコードを巻きつけるリールを具備し、プレーヤの形、厚み及び取り付ける位置が異なっても対応できるよう水平、或いは垂直に前記コードリールの取付け位置が変えられ、更に該コードリールハブの幅が可変出来ることを特徴とした変換アダプタ。
【発明の詳細な説明】
【技術分野】
【０００１】本発明は、携帯電話用変換アダプタの一部に、イヤフォンコードを巻きつけ収納出来るイヤフォンコード巻き付け装置に関するものである
【背景技術】
【０００２】従来から、平型プラグを、標準のミニプラグのイヤフォンで使用できるようにする為の変換アダプタは幾つか存在しているが、これらはいずれも基本的には変換のみを目的とした単一機能しか持ち合わせておらず、当然それに付随して使用するイヤフォンは別途保持し、使用時に変換アダプタに差し込み使用するのが一般的であって、不使用時には別々に保管するので煩わしい等の問題を抱えていた
【発明の概要】
【発明が解決しようとする課題】
【０００３】前述した通り、変換アダプタは変換のみを目的として作られておりそれ以外の機能は持ち合わせておらず、イヤフォンとは別々の存在であり、不使用時にはイヤフォンのコードの収納に困る為、結局ＡＶ機器から外して別途保管の必要があり、手軽に使用できる簡便さを備えていなかった。
【課題を解決する手段】
【０００４】本発明は、変換アダプタの一部に、イヤフォンコードを巻きつけ収納出来るイヤフォンコード巻き付け装置に関するものであって、プレーヤの形、厚み及び取り付ける位置が異なっても対応できるよう水平、或いは垂直にイヤフォンコード巻きつけられるコードリールを設け、前記変換アダプタと該コードリールに合体機構を形成、更にコードの長さの違いや太さの違いにも容易に対応できるよう、前記コードリールハブの幅が可変出来る機構を設けてある。
【発明の効果】
【０００５】変換アダプタへのコードリール取付け変換が容易にできる。（水平又は垂直）イヤフォンコードの長さ、又は太さの違いがあっても容易に収納できる。（コードリールハブ幅可変機構）
携帯電話などへ常時取り付けたままでも邪魔にならず便利である。
【図面の簡単な説明】
【０００６】
【図１】変換アダプタとコードリール取付け方向を示す斜視図。
【図２】コードリールの機構（狭めた状態）を示す縦断面図。
【図３】コードリールの機構（広げた状態）を示す縦断面図。
【図４】コードリールを変換アダプタ水平上面に取付けた状態を示す斜視図。
【図５】コードリールを変換アダプタ垂直に取付けた状態を示す斜視図。
【図６】コードリールを変換アダプタ水平下面に取付けた状態を示す斜視図。
【図７】変換アダプタと組み合わせたコードリールにイヤフォンコードを水平にセットした状態を示す斜視図。（実施例１）
【図８】携帯電話に、変換アダプタと垂直に組み合わせたコードリールをセットした状態を示す斜視図。（実施例２）
【図９】携帯電話に変換アダプタと下部水平に組み合わせたコードリールをセットした状態を示す斜視図。（実施例３）
【発明を実施するための形態】
【０００７】コードリール付き変換アダプタを水平垂直に取付け自在の構造を形成すると共に、前記コードリールハブ幅可変機構を設け、イヤフォンコードの長さ及び太さに関係なく一体収納を実現した。
【実施例】
【０００８】図１〜図６は、本発明のコードリール付き変換アダプタの構成を示すもので平型プラグ１は筐体２に組込まれ、該筐体２側面にはミニプラグ１６の挿入コンセント３を設け、前記側面の、左右外形部分の凸形状枠４、及びガイドピン５、並びに背面部分にＵ字形の溝６を形成し構成している。【０００９】又、コードリールは、ハブａ７及びハブｂ１３で形成され、前記ハブａ７上面左右に複数のフック１２、筐体２を取付ける際のガイドリブ１１を設け、該ハブａ７の略中心外周部にスライドストッパー８、その下部に一定幅を移動できるスライド部９を設け、端部に抜け防止ストッパー１０を設けている。一方ハブｂ１３は下部にコードストッパー１６を形成、上部に凸部１４を設け該凸部１４の略中心に、前記したスライドストッパー８に対応する凹部１５設け形成したハブｂ１３と、前記ハブａ７を嵌合する事により当該コードリールは構成されている。【００１０】変換アダプタとコードリールの水平（上面、下面共）の合体はコードリールのハブａ７に設けたガイドリブ１１のコーナーに変換アダプタの筐体２背面を合わせ圧入する事で、概筐体２に設けた左右外形部分の凸形状枠４にハブａ７のフック１２が係合し形成される。又、垂直の合体は、コードリールのハブａ７に設けたガイドリブ１１を、筐体２の背面部分に設けたＵ字形の溝６に嵌合するように圧入する事で、該筐体２設けた左右外形部分の凸形状枠４にハブａ７のフック１２が係合し構成される。【００１１】図７は実施例１を示すもので、変換アダプタの筐体２に、下部水平にコードリールはセットされ、ハブａ７及びハブｂ１３の間にイヤフォンコード２０を巻き付け、筐体２に設けた挿入コンセント３にミニプラグ２１を挿入、イヤフォンコード２０の巻き終わりをコードストッパー１６挿入、コード分岐用スライダー１９を介しイヤフォンソフトカバー１８を取付けたイヤフォン１７に係合している。【００１２】図８は実施例２を示すもので、変換アダプタの筐体２に、垂直にコードリールはセットされ平型プラグ１を携帯電話２２に接続した状態を示したものである。【００１３】図９は実施例３を示すもので、変換アダプタの筐体２に、下部水平にコードリールはセットされ平型プラグ１を携帯電話２２に接続した状態を示したものである。
【符号の説明】
【００１４】１：平型プラグ
２：筐体
３：挿入コンセント
４：左右外形部分の凸形状枠
５：ガイドピン
６：Ｕ字形の溝
７：ハブａ
８：スライドストッパー
９：スライド部
１０：抜け防止ストッパー
１１：ガイドリブ
１２：フック
１３：ハブｂ
１４：凸部
１５：凹部
１６コードストッパー
１７：イヤフォン
１８：ソフトカバー
１９：コード分岐用スライダー
２０：イヤフォンコード
２１：ミニプラグ
２２：携帯電話
【図１】
2012028291.tif 000003
【図２】
2012028291.tif 000004
【図３】
2012028291.tif 000005
【図４】
2012028291.tif 000006
【図５】
2012028291.tif 000007
【図６】
2012028291.tif 000008
【図７】
2012028291.tif 000009
【図８】
2012028291.tif 000010
【図９】
2012028291.tif 000011